(57)【要約】【課題】短絡状態と開放状態を容易に選択できるプリント基板を提供することを目的とする。【解決手段】電池３と電池３で動作する電気回路４に基板を貫通する導通孔１及び２を接続し、導通孔１及び２に短絡端子の端子を挿入することにより、導通孔１及び２間を短絡し、電池３の電力により電気回路４を動作可能とする。導通孔１及び２には、ランド５及び６を電気的に接続して形成し、継続的に確実な短絡状態が必要な場合には、ランドにはんだ付け処理を行なうことにより短絡状態を維持する。【選択図】図１
2014225487.tif 000002
【特許請求の範囲】
【請求項１】
配線に電気的に接続する導通孔を複数個形成したことを特徴とするプリント基板。
【請求項２】
前記複数の導通孔に電気的に接続するランドを設け、複数の前記ランドを近接対向させたことを特徴とする請求項１記載のプリント基板。
【発明の詳細な説明】
【技術分野】
【０００１】
本発明は、短絡状態と開放状態とを状況に応じて選択可能なプリント基板に関するものである。
【背景技術】
【０００２】
従来、例えば、ガスメータなどの電気機器には、電気機器を動作させるために電池が搭載されており、電池の無駄な消費を防止するために、実際の電気機器の使用開始までは電池を含む制御回路に通電させず、使用を開始する際に通電を開始させている。
【０００３】
ところが、プリント基板を電気機器に組み込んだ後に、プリント基板に導通して電気機器の動作確認を行う必要が生じる場合がある。電気機器を動作させるに際し、プリント基板を導通させる方法として、短絡コネクタを用いて端子間を短絡する構成が知られている（例えば、特許文献１）。
【先行技術文献】
【特許文献】
【０００４】
【特許文献１】特開平７−３０２６６０号公報
【発明の概要】
【発明が解決しようとする課題】
【０００５】
しかしながら、前記従来の構成では、プリント基板上に専用の短絡コネクタを装着するため、実装スペースを必要とし、プリント基板が大型化すると共に、専用の短絡コネクタが必要となる問題があった。また、実装した短絡コネクタが変形した場合、開放状態に復帰できなくなる虞があった。
【０００６】
本発明は、前記従来の課題を解決するもので、短絡状態と開放状態とを容易に選択できるプリント基板を提供することを目的とする。
【課題を解決するための手段】
【０００７】
前期従来の課題を解決するために、本発明の簡易短絡機構を有するプリント基板は、配線に電気的に接続する導通孔を複数個形成することにより、導通孔間を短絡する部品を挿入することで、短絡状態と開放状態とを選択できる。
【発明の効果】
【０００８】
本発明の簡易短絡機構を有するプリント基板は、容易に短絡状態と開放状態とを選択できるプリント基板を提供することができる。
【図面の簡単な説明】
【０００９】
【図１】本発明の実施の形態１におけるプリント基板を示し、（ａ）は平面図、（ｂ）は断面図
【図２】本発明の実施の形態１における回路図
【図３】本発明の実施の形態１におけるプリント基板に短絡端子を接続した状態を示す断面図
【図４】本発明の実施の形態１におけるプリント基板に構成部品を接続した状態を示す断面図
【発明を実施するための形態】
【００１０】
第１の発明は、配線に電気的に接続する導通孔を複数個形成することにより、導通孔間を短絡する部品を挿入することで、特別な部品のスペースを必要とすることなく、容易に短絡状態と開放状態とを選択することができる。
【００１１】
第２の発明は、特に第１の発明の複数の導通孔と電気的に接続するランドを設け、複数のランドを近接対向させることにより、継続的に確実な短絡状態が必要な場合には、ランドにはんだ付け処理を行なうことにより短絡状態を維持することができる。
【００１２】
以下、本発明の実施の形態について、図面を参照しながら説明する。尚、この実施の形態によって本発明が限定されるものではない。
（実施の形態１）
図１は、本発明の第１の実施の形態におけるプリント基板を示し、（ａ）は平面図、（ｂ）は断面図であり、図２は、回路図である。
【００１３】
図１において、基板には、基板を貫通する導通孔１及び２が形成され、導通孔１及び２は、孔の開口周縁に電気的導通を有する処理を行って
電池３と電池３で動作する電気回路４に接続されている。
【００１４】
また、短絡できるランド５及び６がそれぞれ導通孔１及び２に接続されており、はんだ付けで簡単に短絡できる形状になっている。
【００１５】
以上のように構成された簡易短絡機構を有するプリント基板について、以下その動作、作用について図２と併せて説明する。
【００１６】
まず、導通孔１及び２は、図２に示すように電池駆動機器の電池３と電気回路４を開放することによって無駄な電流消費を回避したい部分に配置する。
【００１７】
開放状態にする目的は、生産工場から出荷して実使用までの在庫期間中に電池３の消耗をさせないことにあり、実使用直前に導通孔１及び２を短絡状態にすることにより電気回路４は動作させることができる。
【００１８】
図３に示すように、導通孔１及び２に、導通接触子７を有する短絡端子８を挿入する、あるいは、図４に示すように、導通孔１及び２に、機器の構成部品９の導通接触子７を挿入することにより、導通孔１及び２間を短絡状態にする。なお、導通接触子７を有する短絡端子８は、特別な部品を用いるものではなく、導通接触子７が導通孔１及び２に挿入できる短絡端子８であれば、どのような端子でもよく、動作確認を行うような短期的な短絡状態にする場合には端子以外に導線等を用いることもできる。
【００１９】
本実施の形態の簡易短絡機構を有するプリント基板を実装することにより、短絡状態と開放状態とを選択できる電気機器を実現できる。
【００２０】
また、短絡状態を確実に維持させるためには、導通接触子７をはんだ付けすることもできる。
【００２１】
また、ランド５及び６にはんだ付けすることにより安価に短絡状態を維持させることができる。
【００２２】
また、生産工場において電気回路４の動作確認を行う場合にも、短絡端子８や構成部品９と同等の方法を用いれば簡単に短絡状態と開放状態との選択が可能になる。
【００２３】
本実施の形態は、電池３を搭載した電気機器により説明したが、必要に応じてどのような電気機器にも適用できることは明らかである。
【００２４】
以上のように、本実施の形態においては、導通孔を電気回路の適切な場所に配置することにより、プリント基板上に何らかの部品を配置することなく、実装スペースや部品の費用も不要となる安価で無駄なスペースが不要な簡易短絡機構を有するプリント基板を提供することができる。
【００２５】
また、実装した部品が変形するなどにより短絡状態が継続して、開放状態に復帰できなくなることのない簡易短絡機構を有するプリント基板を提供することができる。
【産業上の利用可能性】
【００２６】
以上のように、本発明にかかる簡易短絡機構を有するプリント基板は、実装スペースや部品の費用も不要となる安価で無駄なスペースが不要な簡易短絡機構を有するプリント基板を提供することができるので、あらゆるプリント基板に適用可能である。
【符号の説明】
【００２７】
１  導通孔
２  導通孔
３  電池
４  電気回路
５  ランド
６  ランド
７  導通接触子
８  短絡端子
９  構成部品
【図１】
2014225487.tif 000003
【図２】
2014225487.tif 000004
【図３】
2014225487.tif 000005
【図４】
2014225487.tif 000006